(57)【要約】      （修正有）【課題】簡易に振り込め詐欺の被害を抑制できる詐欺電話警報装置を提供する。【解決手段】詐欺電話警報装置は、使用者が筆記するメモ部２と、メモ部を覆う蓋部３と、を有している。蓋部には、外部の光を検知するセンサ部と、センサ部の検知に基づいて詐欺電話警告のための音声を出力発生する音声出力部と、が設けられている。センサ部は、蓋部がメモ部を覆う閉じ位置にあるときにはメモ部と当接し、蓋部を開くと、詐欺電話警告の音声が音声出力部から出力される。【選択図】図１
0003224984.tif 000002
【実用新案登録請求の範囲】
【請求項１】
使用者が筆記するメモ部と、
前記メモ部を覆う蓋部と、を有し、
前記蓋部には、外部の光を検知するセンサ部と、前記センサ部の検知に基づいて詐欺電話警告のための音声を出力発生する音声出力部と、が設けられ、
前記センサ部は、前記蓋部が前記メモ部を覆う閉じ位置にあるときには、前記メモ部と当接していることを特徴とする詐欺電話警報装置。
【請求項２】
前記蓋部は、前記閉じ位置と、前記メモ部から離間した開き位置とを移動可能であって、
前記音声出力部は、一度音声を出力した後は、前記センサ部が光を検知しなくなった後に再度光を検知することにより欺電話警告のための音声を出力し、
前記蓋部が前記開き位置にあるときは、載置されている地面から前記蓋部が離間していることを特徴とする請求項１に記載の詐欺電話警報装置。
【考案の詳細な説明】
【技術分野】
【０００１】
本考案は、詐欺電話警報装置に関し、特に電話機の近傍に配置し発呼者に対して警告を促す詐欺電話警報装置に関する。
【背景技術】
【０００２】
近年、振り込め詐欺と呼ばれる電話によって金銭を所望の口座に振り込ませる詐欺が社会問題となっている。特に、一人暮らしのお年寄りの場合には周囲に相談する人もおらず、被害を受けやすい。また、近年の核家族化により親族での同居が減少していることに伴い、振り込め詐欺は増加の一途をたどっている。
【０００３】
このような振り込め詐欺の対策として、振り込め詐欺防止アラーム付き電話機が知られている（例えば、特許文献１）。振り込め詐欺防止アラーム付き電話機では、電話機本体に警報装置が内蔵されていて、受話器を上げると音声で振り込め詐欺である可能性の電話であることを注意喚起し、光及びディスプレイに表示されるメッセージで受話器を取った者に対して警告を促している。
【０００４】
他の電話応答メッセージ送信装置では、電話の通話前に発呼者に対して応答メッセージを伝えている（例えば、特許文献２）。電話機の着信を検出すると、予め録音されている応答メッセージが再生された後に通常の電話回線に切り替わるため、電話の発呼者に対して警告を促すことができる。
【先行技術文献】
【特許文献】
【０００５】
【特許文献１】実用新案登録第３１７８１７１号
【特許文献２】特開２０１１−６１３５９号公報
【考案の概要】
【考案が解決しようとする課題】
【０００６】
しかし、特許文献１に記載の振り込め詐欺防止アラーム付き電話機では電話機本体にアラームが内蔵されているため、既に電話機を所有している場合には電話機の買い替えが必要となり普及の障害となっていた。また、電話を受ける側に対して音声等で警告を促しているため、受電者が自らの意思で電話を切る必要があり、詐欺的電話の抑止効果が低かった。
【０００７】
また、特許文献２に記載の電話応答メッセージ送信装置では、電話回線と電話機との間に当該装置を挿入することにより発呼者に対してメッセージを送信していたが、モラージュジャックの接続等が必要となるため、振り込め詐欺の被害に遭いやすい一人暮らしの老人が一人で装置を電話機に接続することは難しく、簡易に接続できる装置が求められていた。
【０００８】
そこで、本考案では、簡易に振り込め詐欺の被害を抑制することができる詐欺電話警報装置を提供することを目的とする。
【課題を解決するための手段】
【０００９】
上記課題を解決するために本考案は、使用者が筆記するメモ部と、前記メモ部を覆う蓋部と、を有し、前記蓋部には、外部の光を検知するセンサ部と、前記センサ部の検知に基づいて詐欺電話警告のための音声を出力発生する音声出力部と、が設けられ、前記センサ部は、前記蓋部が前記メモ部を覆う閉じ位置にあるときには、前記メモ部と当接することを特徴とする詐欺電話警報装置を提供している。
【００１０】
第２の考案では、前記蓋部は、前記閉じ位置と、前記メモ部から離間した開き位置とを移動可能であって、前記音声出力部は、一度音声を出力した後は、前記センサ部が光を検知しなくなった後に再度光を検知することにより欺電話警告のための音声を出力し、前記蓋部が前記開き位置にあるときは、載置されている地面から蓋部が離間していることを特徴としている。
【考案の効果】
【００１１】
第１の考案によると、蓋部の位置に基づいて音声出力部が詐欺電話警告のための音声を出力するため、電話がかかってきた際にユーザがメモを取ろうとして蓋部を操作すると、音声出力部から出力された詐欺電話警告の音声が電話越しに詐欺的電話をかけてきた発呼者に聞こえる。発呼者に対して詐欺電話の警告音声を聞かせることにより、自ら電話を切るように促す効果がある。また、詐欺電話警報装置はメモ帳として電話機の近くに載置するだけであるため電気的な取付作業等が不要となる。これにより、一人暮らしのお年寄りや電気機器の取扱が苦手な人であっても問題なく使用することができる。また、アナログ回線、デジタル回線、ダイヤル回線、プッシュ回線、携帯電話、スマートフォン等、どのような形式の電話機にも対応することができる。
【００１２】
また、蓋部にセンサ部が設けられているため、詐欺電話警告音声は蓋部の開閉を契機として出力される。これにより、警報音声の出力のためのボタン操作等が不要となる。これにより、詐欺電話によって気が動転したとしても、蓋部を操作することで発呼者に対して詐欺電話警告の音声を聞かせることができ、詐欺電話の被害を未然に防止できる。さらに、詐欺電話警報装置はメモ部を有しているため、通常はメモ帳として使用することを想定しており電話機の近くに配置される。よって、電話越しに詐欺電話の警告音声が届き易くなり、詐欺電話の被害を未然に防止できる。また、センサ部は閉じ位置にあるときメモ部と当接しているため、別途センサ部を閉じるための部材等が不要となり部品点数を削減し生産コストを低減できる。
【００１３】
第２の考案によると、蓋部は開き位置にあるとき載置されている地面から離間するため、空中に浮いている状態となる。そうすると、蓋部を閉めなければならないような衝動に駆られるため、ユーザによって自然と蓋部が閉じ位置に移動されてセンサ部が光を検知しなくなる。メモ部を使用するときは蓋を開ける必要があるため、詐欺電話の警告音声が出力される。よって、蓋部が開き位置のまま放置されて詐欺電話の警告音声が出力されないことを回避できる。
【００１４】
本考案によると、振り込め詐欺の被害を抑制することができる詐欺電話警報装置を提供することができる。
【図面の簡単な説明】
【００１５】
【図１】本考案の実施の形態の詐欺電話警報装置の斜視図。
【図２】本考案の実施の形態の詐欺電話警報装置の側面図。
【図３】本考案の実施の形態の詐欺電話警報装置のメモ部が薄いときの側面図。
【図４】本考案の実施の形態の詐欺電話警報装置のブロック図。
【図５】本考案の実施の形態の詐欺電話警報装置のフロー図。
【考案を実施するための形態】
【００１６】
本考案の実施の形態による詐欺電話警報装置１を図１乃至図５に基づいて説明する。図１から図３に示すように、上下前後左右方向を定義する。詐欺電話警報装置１は、メモ帳としての機能も有しているため、電話機の近くに配置される。
【００１７】
詐欺電話警報装置１は、メモ部２と、蓋部３と、背部４と、底部５と、を有している。詐欺電話警報装置１では、蓋部３を開いてメモ部２に記載しようとすると、詐欺電話の警告音声が出力される。
【００１８】
蓋部３の前側には検知孔３ａが形成されていて、内部に図４に示す回路部３１が収納されている。蓋部３は、図２及び図３に実線で示す閉じ位置と、点線で示す開き位置との間を移動する。蓋部３が閉じ位置にあるときには、蓋部３とメモ部２とが互いに当接し、検知孔３ａがメモ部２によって塞がれる。蓋部３が開き位置にあるときには、蓋部３とメモ部２とが離間して検知孔３ａが開放される。図１は、蓋部３が閉じ位置から開き位置に移動する途中の状態を示す。
【００１９】
蓋部３は、勢いよく開いても閉じ位置で停止するように構成されており、閉じ位置にあるときは底部５が載置されている地面と離間している。本実施の形態では、蓋部３の開き位置は、水平から約３０°程度の角度となる。蓋部３の上面には図示せぬ切込が形成されていて、当該切込の面同士が互いに当接することにより、蓋部３が図２に点線で示す開き位置で停止する。蓋部３が開き位置で停止するための構成はこれに限定されず、ストッパ等を別途設けてもよい。
【００２０】
背部４は、上端が蓋部３と回動可能に接続されるとともに下端が底部５に接続され、柔軟性を有するシリコン等の素材で構成されている。これにより、図３に示すように、蓋部３の重みで背部４が膨らみ、メモ部２が薄くなったとしても蓋部３が閉じ位置にあるときには、メモ部２と蓋部３とが当接する。これにより、蓋部３が閉じ位置にあるときには、メモ部２の厚みに関わらず検知孔３ａがメモ部２によって塞がれる。底部５はメモ部２を載置するために設けられており、図示せぬ接着部によってメモ部２が固定される。
【００２１】
図４に示すように、回路部３１は、電源部３２と、センサ部３３と、音声出力部３４と、メモリ３５と、から構成される。電源部３２は、ボタン電池であって交換可能である。センサ部３３は、光を検知すると所定の信号を出力するセンサであって、検知孔３ａの近傍に配置される。つまり、センサ部３３は検知孔３ａから入る光を検知している。
【００２２】
音声出力部３４は、センサ部３３からの検知に基づいて、詐欺電話の警告音声を出力する。具体的には、センサ部３３が光を検知すると、音声出力部３４が音声を出力する。本実施の形態では、「お金の話、カードの話は詐欺です。騙されないで、確認してください。」という音声を出力し、最後にピーという電子音が鳴る。
【００２３】
メモリ３５には、音声出力部３４によって出力される音声が記憶されている。音声データは、必要に応じて更新することができる。
【００２４】
次に、詐欺電話警報装置１の動作について、図５を参照して説明する。
【００２５】
詐欺電話警報装置１を、電話機の近くに配置する。蓋部３が閉じ位置にあってメモ部２とセンサ部３３とが当接している状態では、検知孔３ａがメモ部２によって塞がれているためセンサ部３３は光を検知しない（Ｓ１：ＮＯ）。電話機に電話が掛かってきてユーザがメモを取るために蓋部３を開くと、蓋部３が開き位置に移動してメモ部２とが離間し、検知孔３ａに光が入ることによりセンサ部３３が光を検知する（Ｓ１：ＹＥＳ）。
【００２６】
センサ部３３が光を検知すると、音声出力部３４がメモリ３５内の詐欺電話の警告音声を出力する（Ｓ２）。音声の出力が完了すると（Ｓ３：ＹＥＳ）、蓋部３が閉じ位置にあるかを判断する（Ｓ４）。換言すると、蓋部３が閉じ位置にあるか否かは、センサ部３３が光を検知しているか否かによって判断する。例えば、センサ部３３が光を検知している場合はセンサ部３３とメモ部２とが離間しているため蓋部３が開き位置にあると判断し、センサ部３３が光を検知していない場合はセンサ部３３とメモ部２とが当接しているため蓋部３が閉じ位置にあると判断する。蓋部３が開き位置の状態の場合には、音声出力部３４から再度音声は出力されない（Ｓ４：ＮＯ）。
【００２７】
蓋部３が閉じ位置に戻されると（Ｓ４：ＹＥＳ）、再び初期状態となってＳ１に戻る。その後、再度蓋部３を開き位置に移動させると（Ｓ１：ＹＥＳ）、音声出力部３４が音声を出力する（Ｓ２）。つまり、一旦、蓋部３を閉じ位置に戻すことにより、回路部３１がリセットされ、センサ部３３が光を検知すると音声出力部３４が警告の音声を出力する。
【００２８】
このような構成によると、蓋部３の位置に基づいて音声出力部３４が詐欺電話警告のための音声を出力するため、電話がかかってきた際にユーザがメモを取ろうとして蓋部３を操作すると、音声出力部３４から出力された詐欺電話警告の音声が電話越しに詐欺的電話をかけてきた発呼者に聞こえる。発呼者に対して詐欺電話の警告音声を聞かせることにより、自ら電話を切るように促す効果がある。また、詐欺電話警報装置１はメモ帳として電話機の近くに載置するだけであるため電気的な取付作業等が不要となる。これにより、一人暮らしのお年寄りや電気機器の取扱が苦手な人であっても問題なく使用することができる。また、アナログ回線、デジタル回線、ダイヤル回線、プッシュ回線、携帯電話、スマートフォン等、どのような形式の電話機にも対応することができる。
【００２９】
また、蓋部３にセンサ部３３が設けられているため、詐欺電話警告音声は蓋部３の開閉を契機として出力される。これにより、警報音声の出力のためのボタン操作等が不要となる。これにより、詐欺電話によって気が動転したとしても、蓋部３を操作することで発呼者に対して詐欺電話警告の音声を聞かせることができ、詐欺電話の被害を未然に防止できる。さらに、詐欺電話警報装置１はメモ部２を有しているため、通常はメモ帳として使用することを想定しており電話機の近くに配置される。よって、電話越しに詐欺電話の警告音声が届き易くなり、詐欺電話の被害を未然に防止できる。また、センサ部３３は閉じ位置にあるときメモ部２と当接しているため、別途センサ部３３を閉じるための部材等が不要となり詐欺電話警報装置１の部品点数を削減し生産コストを低減できる。
【００３０】
このような構成によると、蓋部３は開き位置にあるとき載置されている地面から離間するため、空中に浮いている状態となる。そうすると、蓋部３を閉めなければならないような衝動に駆られ、自然とユーザによって蓋部３が閉められてセンサ部３３が光を検知しなくなる。メモ部２を使用するときは蓋を開ける必要があるため、詐欺電話の警告音声が出力される。よって、蓋部３が開き位置のまま放置されて詐欺電話の警告音声が出力されないことを回避できる。
【００３１】
本考案の詐欺電話警報装置は、上述した実施の形態に限定されず、実用新案登録請求の範囲に記載された考案の要旨の範囲内で種々の変更が可能である。
【００３２】
上記の実施の形態では、音声出力部のみで構成されたが、これに限定されない。例えば、この電話を録音する旨の警報音声を出力し、実際に所定時間音声を録音してもよい。
【００３３】
上述の実施の形態では、音声により詐欺電話であることを発呼者に警告したが、例えば、詐欺電話警報装置に振動機能を備えることで、ユーザに対しても詐欺電話であることを警告してもよい。
【符号の説明】
【００３４】
１      詐欺電話警報装置
２      メモ部
３      蓋部
４      背部
５      底部
３１    回路部
３２    電源部
３３    センサ部
３４    音声出力部
３５    メモリ
【図１】
0003224984.tif 000003
【図２】
0003224984.tif 000004
【図３】
0003224984.tif 000005
【図４】
0003224984.tif 000006
【図５】
0003224984.tif 000007